(57)【特許請求の範囲】
【請求項１】
表示装置であって、
広告素材を受信する及び／または表示するためのパネルと、
前記パネルに取り付け可能なコネクタと、
前記パネルを飲料サーバーの配管に取り外し可能に接続するための締結具と、を備え、前記締結具が、２つ以上の向きで前記コネクタに取り外し可能に取り付けられ、 前記締結具が、固定手段を備えた可撓性ストリップを含み、前記固定手段が、前記飲料サーバーの前記配管を囲み、前記パネルを前記配管に取り外し可能に接続するように、前記ストリップをそれ自体に固定するためのものであり、
前記固定手段が、前記ストリップにおける１つ以上の開口部、及びフックを含み、使用時に、前記フックを前記開口部のうちの１つに通過させることによって、前記ストリップがそれ自体に固定され、
前記フック及び前記ストリップが、異なる硬さを有する異なる材料から構成される、表示装置。
【請求項２】
前記締結具がプラグを含み、前記コネクタがソケットを含み、前記プラグ及び前記ソケットは、前記プラグが前記２つ以上の向きでソケット内に受け入れられるように適合する輪郭を有する、請求項１に記載の表示装置。
【請求項３】
前記プラグ及び前記ソケットが、水平軸及び垂直軸の両方を中心として対称な輪郭を有し、前記輪郭は、前記プラグが４つの別個の向きで前記ソケットに受け入れられることを可能にする、請求項２に記載の表示装置。
【請求項４】
前記プラグ及び前記ソケットが、十字形状の輪郭を有する、請求項３に記載の表示装置。
【請求項５】
前記フックが、前記ストリップの材料硬さよりも大きい材料硬さを有する、請求項１に記載の表示装置。
【請求項６】
前記コネクタが、その並進位置が調整可能となるように前記パネルに取り付け可能である、請求項１〜５のいずれか１項に記載の表示装置。
【請求項７】
前記コネクタが、前記パネルの回転向きを前記コネクタに対して調整することを可能にする様態で前記パネルに取り付け可能である、請求項６に記載の表示装置。
【請求項８】
前記広告素材の交換または更新を可能にするためのアクセス手段をさらに含む、請求項１〜７のいずれか１項に記載の表示装置。
【請求項９】
前記アクセス手段が、第１及び第２の旋回可能に接続された筐体を備える、請求項８に記載の表示装置。
【請求項１０】
前記筐体が、前記広告素材への不正アクセスを防止するように前記筐体を共に固定するロックを含む、請求項９に記載の表示装置。
【請求項１１】
前記パネルが、前記広告素材を表示するための電子表示スクリーンを備える、請求項１〜１０のいずれか１項に記載の表示装置。
【請求項１２】
表示装置であって、
広告素材を受信する及び／または表示するためのパネルと、
前記パネルを飲料サーバーの配管に取り外し可能に接続するため及び前記パネルを前記配管からの結露に対して断熱するため、の締結具と、を含み、
前記締結具が、固定手段を備えた可撓性ストリップを含み、前記固定手段が、前記飲料サーバーの前記配管を囲み、前記パネルを前記配管に取り外し可能に接続するように、前記ストリップをそれ自体に固定するためのものであり、
前記固定手段が、前記ストリップにおける１つ以上の開口部、及びフックを含み、使用時に、前記フックを前記開口部のうちの１つに通過させることによって、前記ストリップがそれ自体に固定され、
前記フック及び前記ストリップが、異なる硬さを有する異なる材料から構成される、表示装置。
【請求項１３】
前記広告素材を照明するための照明手段をさらに含む、請求項１〜１２のいずれか１項に記載の表示装置。
【請求項１４】
請求項１〜１３のいずれか１項に記載の表示装置に接続された配管を有する、飲料サーバー。
【発明の詳細な説明】
【技術分野】
【０００１】
本発明は、一般的に、表示装置に関する。より詳細には、本発明は、広告素材を飲料サーバー（ｂｅｖｅｒａｇｅ  ｆｏｎｔ）に物理的に近接して表示するために使用され得る表示装置に関する。
【背景技術】
【０００２】
背景技術の以下の議論は、本発明の理解を容易にすることをのみを意図するものである。議論は、言及された資料のいずれかが、出願の優先日のような常識的な一般知識の部分であるかであるか、またはあったという承認もしくは認可ではない。
【０００３】
ほとんどの認可された会場（すなわち、アルコール飲料を配給する会場）に見られる飲料サーバー（「ｆｏｎｔｓ」または「ｆｏｕｎｔｓ」）は、タップが取り付けられ、飲料供給ラインが取り付けられた物品である。必要な飲料は、供給源（例えば、子樽、樽など）から供給ラインに沿ってタップに引き出され、そこで顧客に供給される。
【０００４】
サーバーはしばしば、非常に装飾的なデザインに従って製造され、様々な形状及びサイズで提供される。サーバーは、バーの顧客に面した領域の前面に特権的な位置を占める。多くの消費者は、サーバーに近づいて何が提供されているかを見るまで、彼らが注文する飲料のブランドについて決めていないことが理解される。
【０００５】
飲料サーバーの近くの視覚素材の表示は、一般に、サーバーの１つ以上のタップのそれぞれの近くに「バッジ」を付けることに限定されていた。
【０００６】
バッジは、主に、特定のタップから利用可能な飲料のブランドを示すために使用される。これに関し、豪州特許出願第２０１０２００２１１号は、飲料サーバーの一部を形成する水平に延びる配管に交換可能なバッジを取り付けるための装置を記載している。
【０００７】
より精巧な配置は、米国特許出願第２０１４／０００１２０３号に記載されており、この装置は、配管、広告フレーム及び介在コネクタに装置を取り付けるためのトグルクランプを含む装置を示している。
【０００８】
本発明は、飲料サーバーに近接して視覚素材（例えば、ブランド、広告及び情報資料）を表示するための別のアプローチを提供することを目的とする。
【発明の概要】
【課題を解決するための手段】
【０００９】
本発明の第１の態様によって、
広告素材を受信する及び／または表示するためのパネルと、
パネルに取り付け可能なコネクタと、
パネルを飲料サーバーの配管に取り外し可能に接続するための締結具と、を備え、締結具が、２つ以上の向きでコネクタに取り外し可能に取り付け可能である、表示装置を提供する。
【００１０】
好ましくは、締結具はプラグを含み、コネクタはソケットを含み、プラグ及びソケットは、プラグが２つ以上の向きでソケットに受け入れられるように適合する輪郭を有する。一実施形態によれば、プラグ及びソケットは、水平軸及び垂直軸の両方を中心として対称な輪郭を有する。このような輪郭は、プラグが４つの別個の向きでソケットに受け入れられることを可能にする。最適には、プラグ及びソケットは十字形の輪郭を有する。
【００１１】
好ましくは、締結具は、飲料サーバーの配管を取り囲み、パネルを配管に取り外し可能に接続するように、ストリップをそれ自体に固定するための手段を有する可撓性ストリップを含む。典型的には、固定手段は、ストリップにおける１つ以上の開口部、及びフックを含み、使用時に、フックを開口部のうちの１つに通過させることによって、ストリップがそれ自体に固定可能である。
【００１２】
特に好ましい実施形態によれば、フック及びストリップは、異なる材料で構成され、このうちフックがストリップよりも硬い。最適には、フック及びストリップは、異なる硬さを有するシリコン材料で構成される。シリコン材料の使用は、締結具が配管からの結露及び／または冷気に対するパネルの障壁として作用することを可能にする。
【００１３】
任意選択的に、フックは、ストリップから分離しており、かつストリップに取り付け可能であり、フック及びストリップのそれぞれは、フックがストリップに取り付けられたときに完全なプラグが形成されるようにプラグの一部を含む。好ましくは、フック及びストリップのそれぞれは、嵌合されるとプラグを形成する雄または雌の嵌合構成要素を含む。
【００１４】
好ましくは、コネクタは、その並進位置が調整可能となるようにパネルに取り付け可能である。一実施形態によれば、コネクタは、ロッドが受容可能なチャネルを含み、コネクタはロッドに沿って移動可能であり、所望の並進位置でロッドに固定可能である。
【００１５】
好ましくは、コネクタは、パネルの回転向きをコネクタに対して調整することを可能にする様態で、パネルに取り付け可能である。典型的には、パネルは、ロッドを受け入れるように構成された少なくとも１つのロッドホルダを含み、ロッドホルダは、ロッドを中心に回転可能であり、ロッドに対して所望の角度位置で固定可能である。
【００１６】
任意選択で、パネルは、広告素材の交換または更新を可能にするためのアクセス手段を含む。典型的には、パネルは、この目的のために第１及び第２の旋回可能に接続された筐体を含む。特に好ましい実施形態によれば、筐体は、広告素材への不正アクセスを防止するために筐体を共に固定するためのロックを含む。筐体は、筐体を便利な方法で一緒に解放可能に固定することを可能にする磁気手段を備えることができる。典型的には、磁気手段の磁気強度は、磁気手段が係合しているときに筐体を閉状態に維持することができるように、そして広告素材へのアクセスが必要なときに手動で指の力によって解放可能または分離可能にするように、筐体を一緒に保持できるような程度である。磁気手段は、任意の適切な形態を取ることができる。これは、一実施形態では、強磁性配列であってもよい。一例として、筐体の１つは、鉄成分を担持または取り入れてもよく、筐体の他方は、磁気要素を担持してもよい。磁気要素は、他の筐体の相補的構成要素と係合するためのビード、クリップまたは他の突出部の形態を取ることができる。この特徴をもたらす磁場を生成するための他の構成も、本発明の範囲内で想定される。
【００１７】
本発明の他の態様によって、
広告素材を受信する及び／または表示するためのパネルと、
パネルを取り外し可能に飲料サーバーの配管に接続するため、及びパネルを配管からの結露に対して断熱するための締結具と、を備える表示装置が提供される。
【００１８】
好ましくは、締結具は、ゴム引き配管係合面を含む。
【００１９】
使用時には、配管係合面は配管からの結露に対する断熱体として働く。
【００２０】
最適には、締結具は、飲料サーバーの配管を取り囲み、パネルを配管に取り外し可能に接続するように、ストリップをそれ自体に固定する手段を有する可撓性ストリップを含む。典型的には、固定手段は、ストリップにおける１つ以上の開口部、及びフックを含み、使用時に、フックを開口部のうちの１つに通過させることによって、ストリップがそれ自体に固定可能である。
【００２１】
特に好ましい実施形態によれば、フック及びストリップは、フックがストリップよりも硬い異なる材料で構成される。最適には、フック及びストリップは、異なる硬さを有するシリコン材料で構成される。
【００２２】
任意選択的に、フックは、ストリップから分離してかつストリップに取り付け可能であり、フック及びストリップのそれぞれは、フックがストリップに取り付けられたときに完全なプラグが形成されるようにプラグの一部を含む。好ましくは、フック及びストリップのそれぞれは、嵌合されるときにプラグを形成する雄または雌の嵌合構成要素を含む。
【００２３】
表示装置は、一実施形態では、表示装置が取り付けられる飲料サーバーのパネル及び／またはタップに含まれる広告素材を照明する照明手段を備えることができる。照明手段は、典型的には、電源によって駆動される１つ以上のＬＥＤライトの形態をとる。光（複数含む）は、表示装置のパネルの縁部に沿って配置されたストリップの形態で提供されてもよい。１つの好ましい実施形態では、表示装置は、パネルによって受信された広告素材の照明を容易にするために適切な寸法の照明スクリーンを備えている。照明スクリーンは、典型的には、広告素材がバックライトされるように、顧客に面する向きで広告素材の背後に配置される。特に好ましい実施形態では、パネルは、広告素材を受け入れる筐体と、広告素材がバックライトされるように、筐体内で顧客に面する向きで筐体内に受け入れ可能な照明スクリーンとを備える。飲料サーバーのタップまたはタップ・バンクの照明は、電源に接続され、１つ以上のワイヤが取り付けられた１つ以上のＬＥＤライトによって提供されてもよい。ワイヤ保護体の形態の導管は、潜在的に目に見えないワイヤを顧客の視界から保護するために、飲料サーバーの近くに配置することができる。典型的には、導管は、それに沿って供給される１本以上のワイヤを受けることができ、飲料サーバー配管の下側に位置するチューブなどの細長い中空部材の形態をとる。細長い中空部材は、それに沿って供給される１本以上のワイヤの排出を容易にするためのノッチを含むことができる。導管は、低温伝導体としても作用することができ、このために、熱伝導特性を有し、その効果を達成することができる熱伝導性金属材料または他の合成または金属様材料から形成することができる。
【００２４】
表示装置には、照明手段などの適切な光源からの可変光を表示装置のパネル及び／またはタップもしくは飲料サーバーのタップに印加することができるようにするための調光器を設けることができ、それにより、その折の自然もしくは時間などのような事柄による異なる気分や光の効果を受ける。
【００２５】
表示装置のパネルは、典型的には、印刷カードまたは電子表示スクリーンのような表示スクリーンのような広告素材を受信するように適合されている。パネルは、それ自体が、静止画像または動画像などの電子画像を送信することができる電子表示スクリーンのような表示スクリーンを構成することができる。パネルは、電子信号を受信し、その信号を表示スクリーン上または表示スクリーンを通して送信することができる。この態様を実現するために、パネルはインターネット対応になっている。
本発明の実施形態を、添付の図面を参照してさらに説明して示す。
【図面の簡単な説明】
【００２６】
【図１】図１は、本発明の一実施形態に係る表示装置の前面透視図である。
【図２】図２は、図１に示す表示装置の背面透視図である。
【図３】図３は、図２の線Ａの横断面図である。
【図４】図４は、図１に示す表示装置の前面筐体の前面透視図である。
【図５】図５は、図４に示す前面筐体の背面透視図である。
【図６】図６は、図１に示す表示装置の背面筐体の前面透視図である。
【図７】図７は、図６に示す背面筐体の背面透視図である。
【図８】図８は、図１に示す表示装置の前面スクリーンの前面透視図である。
【図９】図９は、図８に示す前面スクリーンの背面透視図である。
【図１０】図１０は、図１に示す表示装置の照明スクリーンの前面透視図である。
【図１１】図１１は、図１０に示す照明スクリーンの背面透視図である。
【図１２】図１２は、図１に示すストラップの前面透視図である。
【図１３】図１３は、図１２に示すストラップの背面透視図である。
【図１４】図１４は、図２に示す継手の透視図である。
【図１５】図１５は、図１２及び図１３に示すストラップの前面展開図である。
【図１６】図１６は、図１２及び図１３に示すストラップの背面展開図である。
【図１７】図１７は、飲料サーバーに取り付けられた表示装置のストラップ及び継手を示す図である。
【図１８】図１８は、飲料サーバーに取り付けられた表示装置のストラップ及び継手を示す図である。
【図１９】図１９は、飲料サーバーに取り付けられた表示装置のストラップ及び継手を示す図である。
【図２０】図２０は、図１〜図１６に示す表示装置の展開図である。
【図２１】図２１は、下面に導管の形のワイヤ保護体が取り付けられた飲料サーバーアレイまたはバンクバンクの透視図を示している。
【図２２】図２２は、導管の下面からの切り取り図をそれぞれ示している。
【発明を実施するための形態】
【００２７】
図１及び図２を参照すると、表示装置１０が示されている。表示装置１０は、認可された会場に位置する飲料サーバーの近くに広告素材を表示することに特に適している。この目的のために、表示装置１０は、印刷カードまたは電子表示スクリーンなどの広告素材を受信するように適合された、細長い実質的に平面のパネル２０を含む。パネル２０は、受信した広告素材を見ることができる窓２４を画定する前面筐体２２を含む。
【００２８】
前面筐体２２は、図４及び図５に示されており、ほぼ平坦な前面２３と、わずかに弓形の形状を有する一対の側方縁部２５、２７とを含む。ねじ切りされたシャフト２９は、側方縁部２５の頂部に設けられている。
【００２９】
上方長手方向縁部２６は、ほぼ丸みを帯びた輪郭を有するリップを含み、下方長手方向縁部２８は、その長さ全体に延びる長手方向チャネル３１を含む。チャネル３１は、一対の露出領域３５によって分離された一連の露出部分３３によって画定される。半露出領域３５は、複数の離間した環状リブ３６から形成される。
【００３０】
一連の垂直方向に離間したピン３４が、側方縁部２７に隣接して設けられている。以下に説明するように、ピン３４は、接着によって表示スクリーンを受信するための接触面として使用される。
【００３１】
前面筐体２２は、背面筐体５０に取り付けられ、箱状ユニットを形成する。背面筐体（図６及び図７に最も明瞭に図示）は、ほぼ平坦な前面５１及びわずかに湾曲した背面５２を有する。背面筐体５０の上部長手方向縁部は、そこから延びる円筒形部材５３を含む。円筒形部材５３は、背面筐体５０のほぼ全長にわたって延びているが、そのそれぞれの端部に一対の切欠き領域５４、５５を含む。ねじ切りされたシャフト５６が、切欠き領域５４に隣接する円筒形部材５３の端部に設けられている。
【００３２】
一連の離間した管状部材５８が、背面筐体５０の下方長手方向縁部から延びている。
【００３３】
供給孔５７は、前面５１を貫通しており、挿入された広告素材を表示装置１０から供給する任意の電力ケーブルまたはデータケーブルを搬送するために使用される。このようなケーブルは、供給孔５７に隣接して設けられたクリップ５９に都合よくクリップすることができる。
【００３４】
一対の同一直線上に間隔を置いて配置されたロッドホルダ６０、６２は、背面５２と一体的に形成され、そこから延出している。それぞれのロッドホルダ６０、６２は、ロッドを受ける（後述する）ための円形開口部６３、６５を画定する。それぞれのロッドホルダはまた、貫通するねじ穴６６、６７を含む。
【００３５】
前面筐体２２及び背面筐体５０は、管状部材５８を露出部分３３に配置することによって取り付けられる。これは、管状部材５８間の空間６１に半露出領域３５を位置させ、前面２２及び背面筐体５０の長さに沿って延びる連続チャネルを画定する効果を有する。次に、適切な直径を有するヒンジピン（図示せず）がチャネルに沿って通過する。これにより、前面２２及び背面筐体５０が、連続チャネルによって画定される軸の周りに互いに対して旋回することが可能になる。
【００３６】
前面筐体２２及び背面筐体５０は、ねじ切りされたシャフト２９及び５６によって形成されたねじシャフトにねじを挿入することによって解放可能に固定される。安全上の理由から、ねじは、対応する形状の輪郭を有する工具によって駆動され得るのみの特有のソケット形状を有することが好ましい。使用時には、工具には表示装置が付属する。
【００３７】
一度ユニットとして組み立てられると、表示装置１０は、現在知られている、または将来開発される広範な広告素材を受信するために使用することができる。図３、８、９、１０及び１１に示す実施形態は、照明されたパネル４５の前面にあるスクリーン４１を収容する表示装置１０を示す。
【００３８】
図１８に示す展開図は、背面スクリーン４３をさらに収容する表示装置１０を示す。
【００３９】
スクリーン４１は、透明であり、好ましくは、アクリロニトリルブタジエンスチレン（ＡＢＳ）のような、適切なプラスチック材料から製造される。スクリーン４１は、その周囲に設けられた接着剤ストリップ４２を介して前面筐体２２に接着されている。
【００４０】
広告メッセージを担持する印刷カードは、照明されたパネル４５の前面の筐体２２に挿入可能である。Ｌ字形の輪郭を有するアルミニウム突出材４６が、パネル４５の頂部に沿って延びる。ＬＥＤライトのストリップは、パネル４５の頂部に沿って位置し、広告メッセージを照明する役目を果たす。ＬＥＤライトストリップは、可変光がパネル４５に加えられることを可能にするための調光器（図示せず）を備えることができ、それにより、その折の自然もしくは時間などのような事柄による異なる気分を生成することができる。
【００４１】
表示装置１０に受信された広告素材は、現在のキャンペーンに従って交換することができ、また、表示スクリーンなどに新しい技術を説明することもできる。広告素材を交換することは、それを付属のヒンジ機構の周りに回転させることによって、安全ねじをゆるめ、前面筐体２２を開くことと同じくらい簡単である。
【００４２】
表示装置１０は、円形または他の断面を有する配管に取り外し可能に接続することができる。配管は、常に飲料サーバーの一部を形成するので、表示装置１０は、様々な環境に便利かつ安全に設置することができる。さらに、飲料サーバーは、認可された会場で著名で顧客に面する位置を占める。したがって、表示装置１０を飲料サーバーに近接して設置することにより、広告メッセージの広範な通信が可能になる。
【００４３】
配管への接続は、ストラップ３０の形態の締結具と、継手７０の形態のコネクタとによって行われる。継手７０は、好ましくは、硬質プラスチック材料から製造される。図１２、１３、１５及び１６に最も明瞭に図示されているように、ストラップ３０は、一連の離間した長方形の穴１１をその内部に備えた細長いストリップ３２である。ストリップ３２の長さに沿って、一連の３つの離間した隆起部１５が設けられている。隆起部１５は、以下に説明するように、ストリップ３２が飲料サーバーの配管の周りをよりしっかりと把持することを可能にし、それを配管に固定するときは作業者がストリップを堅固に保持することも可能にする。
【００４４】
フック４０は、ストリップ３２の上端部に位置する。フック４０は、ストリップ３２及びフック４０の軸部にそれぞれ位置する嵌合雄１２及び雌１３の構成要素によってストリップ３２に接続されている。一度このように嵌合されると、構成要素は、クロス形状の輪郭を有するプラグ１４を形成する。
【００４５】
ストリップ３２は、典型的には、適切な引裂強さを有する強く可撓性の材料から作られる。この点に関して、Ａ１０、Ａ２０、Ａ３０、Ａ４０またはＡ５０のショア値を有する黒色成形シリコンが適していることが判明している。フック４０もシリコンで作られているが、好ましくはＡ４０、Ａ６０、Ａ７０、Ａ９０またはＡ９５のショア値を有する。
【００４６】
サーバー配管と接触する締結具の部品にシリコン材料を使用することは、締結具が広告素材のための低温及び結露に対する断熱障壁を提供する点で有利である。
【００４７】
図１４に最も明瞭に示されるように、継手７０は、その前面に十字形のソケット７１と、その横方向の範囲を通る円形のチャネル７３とを含む。ストラップ３０は、プラグ１４をソケット７１内に位置させることによって、プラグが締まりばめによってソケット内の定位置に保持されて、継手７０に取り付けられる。プラグ及びソケットの断面形状は、垂直軸及び水平軸の両方に関して対称である。このようにして、ストラップ３０は、４つの別個の向きで継手に接続することができる。有利なことに、これにより、ストラップを飲料サーバーの垂直配管と水平配管の両方に取り付けることができる。
【００４８】
ストラップ３０は、次に、ストラップに設けられた穴３７及び継手７０に設けられたねじシャフト７４を通ってねじを駆動することによって、継手７０に固定される。前部及び後部筐体を一緒に接続するために使用されるねじと同様に、特有のソケット付き安全ねじを使用することが好ましい。ねじ穴及びシャフトはまた、水平及び垂直対称のパターンで整列され、別個の整列で接続を提供する。
【００４９】
継手７０は、ロッド１７をチャネル７３に通すことによってパネル２０に取り付けられる。継手７０は、図２に示す矢印の方向にロッド１７に沿って都合のよい位置まで自由に摺動する。その後、グラブねじを使用して定位置に固定される。ロッド１７は、背面筐体５０に設けられたロッドホルダ６０に挿入することによってパネルに取り付けられる。パネル２０の回転位置は、ロッドホルダ６０をロッド１７によって画定された軸の周りに回転させることによって調整することができる。一度適切な回転位置に入ると、パネル２０は、ロッドホルダ６０、６２にそれぞれ設けられたねじ穴６６、６７を介して駆動されるグラブねじの使用によって再びロッド１７に固定される。
【００５０】
図１及び図２に示すように、２つ以上の締結具を単一のパネル２０に取り付けることができる。使用される締結具の数は、パネルのサイズ及び飲料サーバーへの接続の向き（すなわち、それが垂直に、水平に、または他の方向に接続されているかどうか）を含む変数の関数である。表示装置１０は、それぞれのサーバーの配管に別々の締結具を取り付けることによって、複数のサーバーにまたがるように設置することもできる。
【００５１】
図１７〜図１９に示すように、表示装置１０を飲料サーバー８５の配管８０に接続することは、ストラップ３０を配管８０の上向き面に配置する簡単なプロセスであり、その結果、フック４０は、配管の下部に面する表面の周りに延び、配管８０を越えて出て行く。ストラップ３０の自由端は次いで、配管８０の周りにピンと張られ、長方形の穴１１のうちの適切な１つがフック４０の上を通過させられる。この接続作業は、任意の会場運営者または営業担当者が容易に行うことができる（つまり、特別な専門知識は必要がない）。
【００５２】
表示装置１０の取り外しは、ストラップ３０をフック４０から単に外すだけで容易に達成される。
【００５３】
必要に応じてストラップのテールを（シリコン素材を切断するなどして）簡単に取り外すことができる。
【００５４】
図２１は、タップのバンク９０と分配タップハンドル１４０を有する飲料サーバー１３０を示している。タップ９０が取り付けられている配管８０は、実質的に水平方向に延びている。導管１００は、本実施形態では、サーバーサポート１５０によって分離された２つの部分１００ａ及び１００ｂから構成されている。導管１００は、配管８０の下側に配置され、照明手段（図示せず）用の電力源を運び、タップ９０の表示部に導かれて表示部の照明を可能にするワイヤ１１０のための保護体として働くように意図されている。
【００５５】
図２２は、１本以上のワイヤ（図示せず）が受け入れられる細長い中空部材１２０の形態の導管１００を示す。ノッチ１３０は、１本以上のワイヤが導管１００から送り出され、次にタップ表示部に接続されるように設けられている。導管１００は、低温伝導体としても作用することができ、したがって、その効果を促進するための熱伝導特性を有する金属または合成または金属様材料から典型的に作製される。
【００５６】
本発明の異なる実施形態は、先に説明した従来技術の装置よりも多くの利点を有し、
・非常設の広告やブランド素材の表示を許可することと、
・装置のサーバー自体との効果的な統合を提供することと、装置が、広告またはブランドの別個の部分ではなく、サーバーの統合された部分である外観を有することであり、
・垂直及び水平表示の柔軟性と、
・調整可能な視野角の柔軟性（これは装置をサーバー上の任意の適切な場所に取り付けることを可能にする）、
・サーバーからの結露に対して装置及び広告素材を保護するためのシリコン締結具の能力と、
・照明された、照明されていない、デジタル及び非デジタル広告素材の使用における柔軟性と、
・タップバッジの場合のように、会場に、ビール飲料に限定されるのではなく、独自の広告を含めることを許可することと、
・装置がサーバーの近くに他の広告や表示の必要性を軽減するという点で、混乱を最小限に抑えることと、
・広告素材を保護するいくつかの安全機構を特色とすることと、
・リッジを使用してサーバーを把持する際にストリップを補助することと、を含む。
【００５７】
本明細書で使用される「備える（ｃｏｍｐｒｉｓｉｎｇ）」という単語、及び「備える（ｃｏｍｐｒｉｓｉｎｇ）」という単語の形態は、任意の変形または追加を排除すると主張された本発明を限定するものではない。
【００５８】
本発明の改変及び改良は、当業者には容易に明らかであろう。そのような改変及び改良は、本発明の範囲内にあることが意図される。
【図１】
0006639503.tif 000002
【図２】
0006639503.tif 000003
【図３】
0006639503.tif 000004
【図４】
0006639503.tif 000005
【図５】
0006639503.tif 000006
【図６】
0006639503.tif 000007
【図７】
0006639503.tif 000008
【図８】
0006639503.tif 000009
【図９】
0006639503.tif 000010
【図１０】
0006639503.tif 000011
【図１１】
0006639503.tif 000012
【図１２】
0006639503.tif 000013
【図１３】
0006639503.tif 000014
【図１４】
0006639503.tif 000015
【図１５】
0006639503.tif 000016
【図１６】
0006639503.tif 000017
【図１７】
0006639503.tif 000018
【図１８】
0006639503.tif 000019
【図１９】
0006639503.tif 000020
【図２０】
0006639503.tif 000021
【図２１】
0006639503.tif 000022
【図２２】
0006639503.tif 000023